(57)【要約】【課題】広範囲の領域に対応しつつ良好な画質のＢモード画像を生成しながらも腹壁から受ける超音波ビームの屈折の影響を低減して正確な音速マップの生成を行うことができる超音波診断装置を提供する。【解決手段】Ｂモード画像上で検出された被検体の腹壁の形状がほぼ直線状である場合は（Ｓ４）、関心領域ＲＯＩに対し振動子アレイのリニア走査用アレイ部から音速マップ用超音波ビームをリニア走査させつつ送受信させて関心領域ＲＯＩ内の音速マップを生成し（Ｓ５）、さらに撮影領域の全体に対し振動子アレイのリニア走査用アレイ部からＢモード画像用超音波ビームをリニア走査させつつ送受信すると共にコンベックス走査用アレイ部からＢモード画像用超音波ビームをコンベックス走査させつつ送受信させてＢモード画像を生成し（Ｓ６）、Ｂモード画像と音速マップ画像が表示される（Ｓ７）。【選択図】図５
2012192075.tif 000002
【特許請求の範囲】
【請求項１】
送信回路から供給された駆動信号に基づいて超音波プローブの振動子アレイから被検体に向けて超音波ビームが送信されると共に被検体による超音波エコーを受信した前記超音波プローブの振動子アレイから出力される受信信号を受信回路で処理することで得られる受信データに基づいて画像生成部でＢモード画像を生成する超音波診断装置であって、
前記超音波プローブの振動子アレイは、互いに連続して配置されたコンベックス走査用アレイ部とリニア走査用アレイ部とを有し、
前記画像生成部で生成されたＢモード画像上で被検体の腹壁を検出する腹壁検出部と、
前記腹壁検出部で検出された腹壁の形状がほぼ直線状である場合に前記振動子アレイのリニア走査用アレイ部から音速マップ用超音波ビームをリニア走査させつつ送受信させて音速マップ用受信データを取得するように前記送信回路および前記受信回路を制御する制御部と、
取得された前記音速マップ用受信データに基づいて音速マップを生成する音速マップ生成部と
を備えたことを特徴とする超音波診断装置。
【請求項２】
前記画像生成部で生成された前記Ｂモード画像上で関心領域を設定するための関心領域設定部をさらに備え、
前記腹壁検出部は、前記関心領域設定部により設定された関心領域の上方に位置する被検体の腹壁を検出する請求項１に記載の超音波診断装置。
【請求項３】
前記制御部は、前記腹壁検出部で検出された腹壁の形状がほぼ直線状でない場合には、音速マップ用超音波ビームの送受信を行わないように前記送信回路および前記受信回路を制御する請求項１または２に記載の超音波診断装置。
【請求項４】
前記制御部は、前記振動子アレイのコンベックス走査用アレイ部からＢモード画像用超音波ビームをコンベックス走査させつつ送受信させると共にリニア走査用アレイ部から音速マップ用超音波ビームをリニア走査させつつ送受信させてＢモード画像用受信データを取得するように前記送信回路および前記受信回路を制御し、
前記画像生成部は、前記Ｂモード画像用受信データに基づいてＢモード画像を生成する請求項１〜３のいずれか一項に記載の超音波診断装置。
【請求項５】
送信回路から供給された駆動信号に基づいて超音波プローブの振動子アレイから被検体に向けて超音波ビームが送信されると共に被検体による超音波エコーを受信した前記超音波プローブの振動子アレイから出力される受信信号を受信回路で処理することで得られる受信データに基づいてＢモード画像を生成する超音波画像生成方法であって、
前記Ｂモード画像上で被検体の腹壁を検出し、
検出された腹壁の形状がほぼ直線状である場合に前記振動子アレイの互いに連続して配置されたコンベックス走査用アレイ部とリニア走査用アレイ部のうちリニア走査用アレイ部から音速マップ用超音波ビームをリニア走査させつつ送受信させて音速マップ用受信データを取得するように前記送信回路および前記受信回路を制御し、
取得された前記音速マップ用受信データに基づいて音速マップを生成する
ことを特徴とする超音波画像生成方法。
【発明の詳細な説明】
【技術分野】
【０００１】
この発明は、超音波診断装置および超音波画像生成方法に係り、特に、超音波プローブの振動子アレイから超音波を送受信することによりＢモード画像の生成と関心領域内の音速マップの生成の双方を行う超音波診断装置に関する。
【背景技術】
【０００２】
従来から、医療分野において、超音波画像を利用した超音波診断装置が実用化されている。一般に、この種の超音波診断装置は、振動子アレイを内蔵した超音波プローブと、この超音波プローブに接続された装置本体とを有しており、超音波プローブから被検体内に向けて超音波ビームを送信し、被検体からの超音波エコーを超音波プローブで受信して、その受信信号を装置本体で電気的に処理することにより超音波画像が生成される。
【０００３】
また、近年、被検体内の診断部位をより精度よく診断するために、診断部位における音速を測定することが行われている。
例えば、特許文献１には、診断部位の周辺に複数の格子点を設定し、各格子点に対して超音波ビームを送受信することにより得られる受信データに基づいて、局所音速値の演算を行う超音波診断装置が提案されている。
【０００４】
特許文献１の装置では、超音波プローブから被検体内に向けて超音波ビームを送受信することで、診断部位における局所音速値を求めることができ、例えばＢモード画像に局所音速値の情報を重畳させて表示することが可能となる。さらに、所定の領域内の各点における局所音速値の分布を示す音速マップを生成してＢモード画像と共に表示すれば、診断部位の診断を行う上で有効なものとなる。
【０００５】
また、超音波プローブとして、コンベックス走査用アレイ部とリニア走査用アレイ部とが互いに連続して配列された振動子アレイを有する複合型のプローブが特許文献２に提案されている。
このような複合型の超音波プローブを用いて超音波ビームの送受信を行うことにより、被検体の浅部領域において大きな視野角と高画質を得ながら、深部領域においても視野を拡大することが可能となり、超音波診断に適したＢモード画像を得ることができる。
【先行技術文献】
【特許文献】
【０００６】
【特許文献１】特開２０１０−９９４５２号公報
【特許文献２】特開２０１０−２１４０１５号公報
【発明の概要】
【発明が解決しようとする課題】
【０００７】
しかしながら、被検体内部の臓器等を覆っている腹壁付近は、脂肪の存在等に起因して他の箇所とは異なる音速を有しており、このため、特許文献２に記載されたような複合型の超音波プローブを用いて診断部位における局所音速値を求めようとしても、振動子アレイから送信された超音波ビームが腹壁を透過する際に、腹壁に対する入射角によっては、超音波ビームが屈折して音速を正確に測定することができなくなるという問題がある。
【０００８】
この発明は、このような従来の問題点を解消するためになされたもので、広範囲の領域に対応しつつ良好な画質のＢモード画像を生成しながらも腹壁から受ける超音波ビームの屈折の影響を低減して正確な音速マップの生成を行うことができる超音波診断装置および超音波画像生成方法を提供することを目的とする。
【課題を解決するための手段】
【０００９】
この発明に係る超音波診断装置は、送信回路から供給された駆動信号に基づいて超音波プローブの振動子アレイから被検体に向けて超音波ビームが送信されると共に被検体による超音波エコーを受信した超音波プローブの振動子アレイから出力される受信信号を受信回路で処理することで得られる受信データに基づいて画像生成部でＢモード画像を生成する超音波診断装置であって、超音波プローブの振動子アレイは、互いに連続して配置されたコンベックス走査用アレイ部とリニア走査用アレイ部とを有し、画像生成部で生成されたＢモード画像上で被検体の腹壁を検出する腹壁検出部と、腹壁検出部で検出された腹壁の形状がほぼ直線状である場合に振動子アレイのリニア走査用アレイ部から音速マップ用超音波ビームをリニア走査させつつ送受信させて音速マップ用受信データを取得するように送信回路および受信回路を制御する制御部と、取得された音速マップ用受信データに基づいて音速マップを生成する音速マップ生成部とを備えたものである。
【００１０】
画像生成部で生成されたＢモード画像上で関心領域を設定するための関心領域設定部をさらに備え、腹壁検出部が、関心領域設定部により設定された関心領域の上方に位置する被検体の腹壁を検出するように構成することが好ましい。
また、制御部は、腹壁検出部で検出された腹壁の形状がほぼ直線状でない場合には、音速マップ用超音波ビームの送受信を行わないように送信回路および受信回路を制御してもよい。
さらに、制御部は、振動子アレイのコンベックス走査用アレイ部からＢモード画像用超音波ビームをコンベックス走査させつつ送受信させると共にリニア走査用アレイ部から音速マップ用超音波ビームをリニア走査させつつ送受信させてＢモード画像用受信データを取得するように送信回路および受信回路を制御し、画像生成部は、Ｂモード画像用受信データに基づいてＢモード画像を生成することができる。
【００１１】
この発明に係る超音波画像生成方法は、送信回路から供給された駆動信号に基づいて超音波プローブの振動子アレイから被検体に向けて超音波ビームが送信されると共に被検体による超音波エコーを受信した超音波プローブの振動子アレイから出力される受信信号を受信回路で処理することで得られる受信データに基づいてＢモード画像を生成する超音波画像生成方法であって、Ｂモード画像上で被検体の腹壁を検出し、検出された腹壁の形状がほぼ直線状である場合に振動子アレイの互いに連続して配置されたコンベックス走査用アレイ部とリニア走査用アレイ部のうちリニア走査用アレイ部から音速マップ用超音波ビームをリニア走査させつつ送受信させて音速マップ用受信データを取得するように送信回路および受信回路を制御し、取得された音速マップ用受信データに基づいて音速マップを生成する方法である。
【発明の効果】
【００１２】
この発明によれば、被検体の腹壁を検出し、腹壁の形状がほぼ直線状である場合に振動子アレイのリニア走査用アレイ部から音速マップ用超音波ビームをリニア走査させつつ送受信させて音速マップ用受信データを取得するので、互いに連続して配置されたコンベックス走査用アレイ部とリニア走査用アレイ部とを有する振動子アレイを用いて広範囲の領域に対応しつつ良好な画質のＢモード画像を生成しながらも、腹壁から受ける超音波ビームの屈折の影響を低減して正確な音速マップの生成を行うことが可能となる。
【図面の簡単な説明】
【００１３】
【図１】この発明の実施の形態に係る超音波診断装置の構成を示すブロック図である。
【図２】実施の形態で用いられた複合型の超音波プローブを示す図である。
【図３】Ｂモード画像を模式的に示す図である。
【図４】実施の形態における音速演算の原理を模式的に示す図である。
【図５】実施の形態の動作を示すフローチャートである。
【図６】超音波プローブから送信されたＢモード画像用超音波ビームを示す図である。
【図７】超音波プローブから送信された音速マップ用超音波ビームを示す図である。
【発明を実施するための形態】
【００１４】
以下、この発明の実施の形態を添付図面に基づいて説明する。
図１に、この発明の実施の形態に係る超音波診断装置の構成を示す。超音波診断装置は、超音波プローブ１と、この超音波プローブ１に接続された診断装置本体２とを備えている。
超音波プローブ１は、複合型のプローブで、コンベックス走査用アレイ部とリニア走査用アレイ部とが互いに連続して配列された振動子アレイ３を有し、この振動子アレイ３に送信回路４と受信回路５が接続され、送信回路４および受信回路５にプローブ制御部６が接続されている。
【００１５】
診断装置本体２は、超音波プローブ１の受信回路５に接続された信号処理部１１を有し、この信号処理部１１にＤＳＣ（Digital Scan Converter）１２、画像処理部１３、表示制御部１４および表示部１５が順次接続されている。画像処理部１３には、画像メモリ１６が接続されると共に腹壁検出部１７が接続されている。さらに、診断装置本体２は、超音波プローブ１の受信回路５に接続されたシネメモリ１８と音速マップ生成部１９を有している。そして、信号処理部１１、ＤＳＣ１２、表示制御部１４、腹壁検出部１７、シネメモリ１８および音速マップ生成部１９に本体制御部２０が接続されている。さらに、本体制御部２０には、操作部２１と格納部２２がそれぞれ接続されている。
また、超音波プローブ１のプローブ制御部６と診断装置本体２の本体制御部２０が互いに接続されている。
【００１６】
超音波プローブ１の振動子アレイ３は、図２に示されるように、１つのリニア走査用アレイ部Ｇ１と、リニア走査用アレイ部Ｇ１の両側部にそれぞれ連続して配置された一対のコンベックス走査用アレイ部Ｇ２から構成されている。リニア走査用アレイ部Ｇ１は、直線状に配列された複数の超音波トランスデューサを有している。各コンベックス走査用アレイ部Ｇ２は、リニア走査用アレイ部Ｇ１の超音波トランスデューサに対して連続的で且つ扇状に配列された複数の超音波トランスデューサを有している。
リニア走査用アレイ部Ｇ１およびコンベックス走査用アレイ部Ｇ２の複数の超音波トランスデューサは、それぞれ送信回路４から供給される駆動信号に従って超音波を送信すると共に被検体からの超音波エコーを受信して受信信号を出力する。各超音波トランスデューサは、例えば、ＰＺＴ（チタン酸ジルコン酸鉛）に代表される圧電セラミックや、ＰＶＤＦ（ポリフッ化ビニリデン）に代表される高分子圧電素子、ＰＭＮ−ＰＴ（マグネシウムニオブ酸・チタン酸鉛固溶体）に代表される圧電単結晶等からなる圧電体の両端に電極を形成した振動子によって構成される。
【００１７】
そのような振動子の電極に、パルス状又は連続波の電圧を印加すると、圧電体が伸縮し、それぞれの振動子からパルス状又は連続波の超音波が発生して、それらの超音波の合成により超音波ビームが形成される。また、それぞれの振動子は、伝搬する超音波を受信することにより伸縮して電気信号を発生し、それらの電気信号は、超音波の受信信号として出力される。
【００１８】
送信回路４は、例えば、複数のパルサを含んでおり、プローブ制御部６からの制御信号に応じて選択された送信遅延パターンに基づいて、振動子アレイ３の複数の超音波トランスデューサから送信される超音波が超音波ビームを形成するようにそれぞれの駆動信号の遅延量を調節して複数の超音波トランスデューサに供給する。
【００１９】
受信回路５は、振動子アレイ３の各超音波トランスデューサから送信される受信信号を増幅してＡ／Ｄ変換した後、プローブ制御部６からの制御信号に応じて選択された受信遅延パターンに基づいて設定される音速または音速の分布に従い、各受信信号にそれぞれの遅延を与えて加算することにより、受信フォーカス処理を行う。この受信フォーカス処理により、超音波エコーの焦点が絞り込まれた受信データ（音線信号）が生成される。
プローブ制御部６は、診断装置本体２の本体制御部２０から伝送される各種の制御信号に基づいて、超音波プローブ１の各部の制御を行う。
【００２０】
診断装置本体２の信号処理部１１は、超音波プローブ１の受信回路６で生成された受信データに対し、超音波の反射位置の深度に応じて距離による減衰の補正を施した後、包絡線検波処理を施すことにより、被検体内の組織に関する断層画像情報であるＢモード画像信号を生成する。
ＤＳＣ１２は、信号処理部１１で生成されたＢモード画像信号を通常のテレビジョン信号の走査方式に従う画像信号に変換（ラスター変換）する。
画像処理部１３は、ＤＳＣ１２から入力されるＢモード画像信号に階調処理等の各種の必要な画像処理を施した後、Ｂモード画像信号を表示制御部１４に出力する、あるいは画像メモリ１６に格納する。
これら信号処理部１１、ＤＳＣ１２、画像処理部１３および画像メモリ１６により画像生成部２３が形成されている。
【００２１】
表示制御部１４は、画像処理部１３によって画像処理が施されたＢモード画像信号に基づいて、表示部１５に超音波診断画像を表示させる。
表示部１５は、例えば、ＬＣＤ等のディスプレイ装置を含んでおり、表示制御部１４の制御の下で、超音波診断画像を表示する。
【００２２】
腹壁検出部１７は、画像処理部１３によって画像処理が施されたＢモード画像信号に基づいて、図３に示されるように、Ｂモード画像内に設定された関心領域ＲＯＩの上方に位置する被検体の腹壁Ｐを検出する。
シネメモリ１８は、超音波プローブ１の受信回路５から出力される受信データを順次格納する。また、シネメモリ１８は、本体制御部２０から入力されるフレームレートに関する情報（例えば、超音波の反射位置の深度、走査線の密度、視野幅を示すパラメータ）を上記の受信データに関連付けて格納する。
音速マップ生成部１９は、本体制御部２０による制御の下で、シネメモリ１８に格納されている受信データに基づいて、診断対象となる被検体内の組織における局所音速値を演算し、音速マップを生成する。
本体制御部２０は、操作者により操作部２１から入力された指令に基づいて超音波診断装置各部の制御を行う。
【００２３】
操作部２１は、操作者が入力操作を行うためのもので、この発明の関心領域設定部を構成し、キーボード、マウス、トラックボール、タッチパネル等から形成することができる。
格納部２２は、動作プログラム等を格納するもので、ハードディスク、フレキシブルディスク、ＭＯ、ＭＴ、ＲＡＭ、ＣＤ−ＲＯＭ、ＤＶＤ−ＲＯＭ等の記録媒体を用いることができる。
なお、信号処理部１１、ＤＳＣ１２、画像処理部１３、表示制御部１４および音速マップ生成部１９は、ＣＰＵと、ＣＰＵに各種の処理を行わせるための動作プログラムから構成されるが、それらをデジタル回路で構成してもよい。
【００２４】
操作者は操作部２１から次の３つの表示モードのいずれかを選択することができる。すなわち、Ｂモード画像を単独で表示するモード、Ｂモード画像に音速マップを重畳して表示するモード（例えば、局所音速値に応じて色分けまたは輝度を変化させる表示、あるいは局所音速値が等しい点を線で結ぶ表示）、Ｂモード画像と音速マップ画像とを並べて表示するモードのうち、所望のモードによる表示を行うことができる。
【００２５】
Ｂモード画像を表示する際には、まず、超音波プローブ１の送信回路４から供給される駆動信号に従って振動子アレイ３のリニア走査用アレイ部Ｇ１およびコンベックス走査用アレイ部Ｇ２の複数の超音波トランスデューサから超音波が送信され、被検体からの超音波エコーを受信した各超音波トランスデューサから受信信号が受信回路５に出力され、受信回路５で受信データが生成される。さらに、この受信データを入力した診断装置本体２の信号処理部１１でＢモード画像信号が生成され、ＤＳＣ１２でＢモード画像信号がラスター変換されると共に画像処理部１３でＢモード画像信号に各種の画像処理が施された後、このＢモード画像信号に基づいて表示制御部１４により超音波診断画像が表示部１５に表示される。
【００２６】
一方、局所音速値の演算は、例えば本願の出願人により出願された特開２０１０−９９４５２号公報に記載の方法により行うことができる。
この方法は、図４（Ａ）に示されるように、被検体内に超音波を送信した際に、被検体の反射点となる格子点Ｘから振動子アレイ１に到達する受信波Ｗｘに着目したとき、図４（Ｂ）に示されるように、格子点Ｘよりも浅い位置、すなわち振動子アレイ１に近い位置に複数の格子点Ａ１、Ａ２、・・・を等間隔に配列し、格子点Ｘからの受信波を受けた複数の格子点Ａ１、Ａ２、・・・からのそれぞれの受信波Ｗ１、Ｗ２、・・・の合成波Ｗｓｕｍが、ホイヘンスの原理により、格子点Ｘからの受信波Ｗｘに一致することを利用して、格子点Ｘにおける局所音速値を求める方法である。
【００２７】
まず、すべての格子点Ｘ、Ａ１、Ａ２、・・・に対する最適音速値をそれぞれ求める。ここで、最適音速値とは、各格子点に対し、設定音速に基づきフォーカス計算をして撮影を行うことにより超音波画像を形成し、設定音速を種々変化させたときに画像のコントラスト、シャープネスが最も高くなる音速値であり、例えば特開平８−３１７９２６号公報に記載のように、画像のコントラスト、スキャン方向の空間周波数、分散等に基づいて最適音速値の判定を行うことができる。
【００２８】
次に、格子点Ｘに対する最適音速値を用いて、格子点Ｘから発せられる仮想的な受信波Ｗｘの波形を算出する。
さらに、格子点Ｘにおける仮定的な局所音速値Ｖを種々変化させて、それぞれ格子点Ａ１、Ａ２、・・・からの受信波Ｗ１、Ｗ２、・・・の仮想的な合成波Ｗｓｕｍを算出する。このとき、格子点Ｘと各格子点Ａ１、Ａ２、・・・との間の領域Ｒｘａにおける音速は一様で、格子点Ｘにおける局所音速値Ｖに等しいものと仮定する。格子点Ｘから伝播した超音波が格子点Ａ１、Ａ２、・・・に到達するまでの時間はＸＡ１／Ｖ、ＸＡ２／Ｖ、・・・となる。ここで、ＸＡ１、ＸＡ２、・・・は、それぞれ格子点Ａ１、Ａ２、・・・と格子点Ｘとの間の距離である。そこで、格子点Ａ１、Ａ２、・・・からそれぞれ時間ＸＡ１／Ｖ、ＸＡ２／Ｖ、・・・だけ遅延して発した反射波を合成することにより、仮想的な合成波Ｗｓｕｍを求めることができる。
【００２９】
次に、このように格子点Ｘにおける仮定的な局所音速値Ｖを種々変化させて算出された複数の仮想的な合成波Ｗｓｕｍと格子点Ｘからの仮想的な受信波Ｗｘとの誤差をそれぞれ算出し、誤差が最小になる仮定的な局所音速値Ｖを格子点Ｘにおける局所音速値と判定する。ここで、仮想的な合成波Ｗｓｕｍと格子点Ｘからの仮想的な受信波Ｗｘとの誤差の算出方法としては、互いの相互相関をとる方法、受信波Ｗｘに合成波Ｗｓｕｍから得られる遅延を掛けて位相整合加算する方法、合成波Ｗｓｕｍに受信波Ｗｘから得られる遅延を掛けて位相整合加算する方法等を採用することができる。
以上のようにして、超音波プローブ１の受信回路５で生成された受信データに基づき、被検体内の局所音速値を高精度に演算することができる。さらに、同様にして、設定された関心領域内の局所音速値の分布を示す音速マップを生成することができる。
【００３０】
次に、図５のフローチャートを参照して実施の形態１の動作を説明する。
まず、ステップＳ１で、Ｂモード画像が生成される。このとき、超音波プローブ１の送信回路４からの駆動信号に従って、図６に示されるように、振動子アレイ３のリニア走査用アレイ部Ｇ１の複数の超音波トランスデューサからリニア走査させつつＢモード画像用の超音波ビームＢ１が送受信されると共にコンベックス走査用アレイ部Ｇ２の複数の超音波トランスデューサからコンベックス走査させつつＢモード画像用の超音波ビームＢ２が送受信される。各超音波トランスデューサで受信された受信信号が受信回路５に出力されてＢモード画像用の受信データが生成され、さらに、診断装置本体２の画像生成部２３で生成されたＢモード画像信号に基づいて表示制御部１４によりＢモード画像が表示部１５に表示される。
【００３１】
ステップＳ２で、操作者が操作部２１を操作することにより、表示部１５に表示されているＢモード画像上に関心領域ＲＯＩが設定されると、ステップＳ３で、図３に示されるように、関心領域ＲＯＩの上方に位置する被検体の腹壁Ｐが腹壁検出部１７により検出され、さらにステップＳ４で、本体制御部２０により、腹壁検出部１７で検出された被検体の腹壁Ｐの形状がほぼ直線状であるか否かが判定される。
【００３２】
そして、腹壁Ｐの形状がほぼ直線状であると判定された場合は、ステップＳ５に進み、図７に示されるように、関心領域ＲＯＩに対し振動子アレイ３のリニア走査用アレイ部Ｇ１から音速マップ用超音波ビームＧ３をリニア走査させつつ送受信させて関心領域ＲＯＩ内の音速マップを生成する。
【００３３】
すなわち、本体制御部２０により関心領域ＲＯＩ内に複数の格子点が設定され、これらの格子点のそれぞれに送信焦点を形成してリニア走査用アレイ部Ｇ１からリニア走査させつつ順次音速マップ用超音波ビームＢ３の送受信が行われる。このとき、腹壁Ｐの形状がほぼ直線状であるので、図７に示されるように、振動子アレイ３のリニア走査用アレイ部Ｇ１から複数の音速マップ用超音波ビームＢ３を平行に送信しても、各音速マップ用超音波ビームＢ３は腹壁Ｐに対してほぼ垂直に入射し、腹壁Ｐからほとんど屈折の影響を受けることなく、腹壁Ｐを透過して関心領域ＲＯＩ内の各格子点に送信焦点を形成することとなる。そして、被検体からの超音波エコーがリニア走査用アレイ部Ｇ１の複数の超音波トランスデューサで受信される。
【００３４】
音速マップ用超音波ビームＢ３を受信する毎に受信回路５で生成される音速マップ用の受信データは順次シネメモリ１８に格納される。関心領域ＲＯＩ内のすべての格子点に関して音速マップ用の受信データが取得されると、本体制御部２０から音速マップ生成部１９に音速マップ形成の指令が出力され、音速マップ生成部１９は、シネメモリ１８に格納されている音速マップ用の受信データを用いて、各格子点における局所音速値を演算し、関心領域ＲＯＩ内の音速マップを生成する。音速マップ生成部１９で得られた音速マップに関するデータは、ＤＳＣ１２でラスター変換され、画像処理部１３で各種の画像処理が施される。
【００３５】
このようにして、関心領域ＲＯＩ内の音速マップが生成されると、ステップＳ６で、撮影領域の全体に対し振動子アレイ３のリニア走査用アレイ部Ｇ１からリニア走査させつつＢモード画像用超音波ビームＢ１が送受信されると共にコンベックス走査用アレイ部Ｇ２からコンベックス走査させつつＢモード画像用超音波ビームＢ２が送受信され、Ｂモード画像が生成される。
【００３６】
すなわち、リニア走査用アレイ部Ｇ１から送信されたＢモード画像用超音波ビームＢ１の超音波エコーを受信した各超音波トランスデューサから受信信号が受信回路５に出力されると共にコンベックス走査用アレイ部Ｇ２から送信されたＢモード画像用超音波ビームＢ２の超音波エコーを受信した各超音波トランスデューサから受信信号が受信回路５に出力されてＢモード画像用受信データが生成され、このＢモード画像用受信データが診断装置本体２のシネメモリ１８に格納されると共に信号処理部１１に入力してＢモード画像信号が生成され、ＤＳＣ１２でＢモード画像信号がラスター変換されると共に画像処理部１３でＢモード画像信号に各種の画像処理が施される。
【００３７】
そして、ステップＳ７において、画像処理部１３で各種の画像処理が施された関心領域ＲＯＩ内の音速マップに関するデータとＢモード画像信号が表示制御部１４へ送られ、操作者により操作部２１から入力された表示モードに従って、Ｂモード画像に音速マップを重畳した状態で表示部１５に表示される、あるいは、Ｂモード画像と音速マップ画像とが並べて表示部１５に表示される。
【００３８】
さらに、ステップＳ８で検査を終了するか否かが確認され、検査を継続する場合には、ステップＳ１に戻り、検査を終了する場合には、一連の処理を完了する。
なお、ステップＳ４で、腹壁Ｐの形状がほぼ直線状ではないと判定された場合は、超音波プローブ１の振動子アレイ３のリニア走査用アレイ部Ｇ１から音速マップ用超音波ビームＢ３をリニア走査させつつ送受信しても、腹壁Ｐに対する音速マップ用超音波ビームＢ３の入射角が大きくなって腹壁Ｐから屈折の影響を大きく受けるため、関心領域ＲＯＩ内の音速マップを精度よく生成することはできないとして、音速マップ用超音波ビームＢ３の送受信を行わないように送信回路４および受信回路５が制御され、ステップＳ９で表示部１５等に警告を発した後、ステップＳ８へ進んで検査を終了するか否かの確認がなされる。
【００３９】
なお、ステップＳ４における、腹壁Ｐの形状がほぼ直線状であるか否かの判定は、例えば、次のようにして行うことができる。
まず、腹壁検出部１７で検出された腹壁Ｐ上に複数の測定点Ｑｉ（ｉ＝１〜ｎ）を設定し、これら測定点Ｑｉの画像上の座標（Ｘｉ，Ｙｉ）を用いて最小二乗法により近似直線を求め、このときの各測定点Ｑｉの残差ｄＹｉの変動係数ＣＶを算出する。
複数の測定点Ｑｉの残差ｄＹｉの平均値をｄＹｍとしたとき、残差ｄＹｉの変動係数ＣＶは、
ＣＶ＝[(１／ｎ)Σ(ｄＹｉ２−ｄＹｍ２)]１／２／ｄＹｍ      ・・・（１）
で表される。なお、Σは、ｉ＝１〜ｎに対する総和を表している。
そこで、許容範囲として、例えば、しきい値ＣＶ１＝０．１を設定し、上記の式（１）で算出された残差ｄＹｉの変動係数ＣＶがしきい値ＣＶ１以下のときには、腹壁Ｐの形状がほぼ直線状であると判定し、設定値ＣＶ１より大きいときには、腹壁Ｐの形状がほぼ直線状ではないと判定することができる。
【００４０】
なお、しきい値ＣＶ１は、「０．１」に限るものではなく、実際にリニア走査させつつ音速マップ用超音波ビームを送受信して、波面の乱れが音速の計測に悪影響を及ぼさない程度となるしきい値ＣＶ１を求めることが好ましい。
【００４１】
また、ステップＳ４における、腹壁Ｐの形状がほぼ直線状であるか否かの判定については、相関係数を用いることもできる。
すなわち、腹壁検出部１７で検出された腹壁Ｐ上に複数の測定点Ｑｉ（ｉ＝１〜ｎ）を設定し、これら測定点Ｑｉの画像上の座標（Ｘｉ，Ｙｉ）の相関係数ｒを算出する。
Ｘｉの平均値をＸｍ、Ｙｉの平均値をＹｍとしたとき、相関係数ｒは、
ｒ＝Σ[(Ｘｉ−Ｘｍ)(Ｙｉ−Ｙｍ)]／[Σ(Ｘｉ−Ｘｍ)２Σ(Ｙｉ−Ｙｍ)２]１／２
・・・（２）
で表される。なお、Σは、ｉ＝１〜ｎに対する総和を表している。
そこで、許容範囲として、例えば、しきい値ｒ１＝０．７を設定し、上記の式（２）で算出された相関係数ｒの絶対値がしきい値ｒ１以上のときには、腹壁Ｐの形状がほぼ直線状であると判定し、しきい値ｒ１未満のときには、腹壁Ｐの形状がほぼ直線状ではないと判定する。
この場合も、しきい値ｒ１は、「０．７」に限るものではなく、実際の計測に適した値とすることが好ましい。
【００４２】
このように、腹壁検出部１７で検出された腹壁Ｐの形状がほぼ直線状であるか否かを判定し、ほぼ直線状である場合にのみ振動子アレイ３のリニア走査用アレイ部Ｇ１から音速マップ用超音波ビームＢ３をリニア走査させつつ送受信させるので、リニア走査用アレイ部Ｇ１とコンベックス走査用アレイ部Ｇ２とが互いに連続して配列された振動子アレイ３を有する複合型の超音波プローブ１を用いながらも腹壁Ｐから受ける屈折の影響を低減して正確な音速マップの生成を行うことが可能となる。
また、振動子アレイ３のリニア走査用アレイ部Ｇ１からリニア走査させつつＢモード画像用超音波ビームＢ１が送受信されると共にコンベックス走査用アレイ部Ｇ２からコンベックス走査させつつＢモード画像用超音波ビームＢ２が送受信されるので、広範囲の領域に対応しつつ良好な画質のＢモード画像を生成することができる。
【００４３】
上記の実施の形態では、受信回路５から出力される受信データを一旦シネメモリ１８に格納し、音速マップ生成部１９がシネメモリ１８に格納された受信データを用いて関心領域ＲＯＩ内の各格子点における局所音速値を演算し、関心領域ＲＯＩ内の音速マップを生成したが、音速マップ生成部１９が受信回路５から出力される受信データを直接入力して音速マップの生成を行うこともできる。
また、シネメモリ１８には、音速マップ用受信データだけでなく、Ｂモード画像生成用の受信データも格納されているため、本体制御部２０の制御により、必要に応じてシネメモリ１８からＢモード画像生成用の受信データを読み出し、画像生成部２３でＢモード画像を生成することもできる。
なお、上記の実施の形態における超音波プローブ１と診断装置本体２との接続は、有線による接続および無線通信による接続のいずれの形態をとることもできる。
【符号の説明】
【００４４】
１  振動子プローブ、２  診断装置本体、３  振動子アレイ、４  送信回路、５  受信回路、６  プローブ制御部、１１  信号処理部、１２  ＤＳＣ、１３  画像処理部、１４  表示制御部、１５  表示部、１６  画像メモリ、１７  腹壁検出部、１８  シネメモリ、１９  音速マップ生成部、２０  本体制御部、２１  操作部、２２  格納部、２３  画像生成部、Ｇ１  リニア走査用アレイ部、Ｇ２  コンベックス走査用アレイ部、Ｐ  腹壁、ＲＯＩ  関心領域、Ｘ，Ａ１，Ａ２  格子点、Ｗ１，Ｗ２，Ｗｘ  受信波、Ｗｓｕｍ  合成波、Ｂ１，Ｂ２  Ｂモード画像用超音波ビーム、Ｂ３  音速マップ用超音波ビーム。
【図１】
2012192075.tif 000003
【図２】
2012192075.tif 000004
【図３】
2012192075.tif 000005
【図４】
2012192075.tif 000006
【図５】
2012192075.tif 000007
【図６】
2012192075.tif 000008
【図７】
2012192075.tif 000009